(57)【要約】【課題】  符号分割多元接続方式の移動通信端末装置において、セル再選択動作の過度の繰り返し（バタツキ）を好適に抑制する。【解決手段】  セル再選択条件が成立した場合に自局セルを再選択するセル再選択制御手段６，７と、以前に自局セルとしていたセルをセル再選択動作により新たに自局セルとする回数をカウントするカウント手段１１を備える。所定時間を計時する計時手段１０と、その計時動作が満了する前にカウント手段１１によるカウント値が所定数に達した場合にセル再選択動作のバタツキが発生したと判定するバタツキ発生判定手段７を備える。バタツキ発生判定手段によりバタツキが発生したと判定された場合にセル再選択動作を抑制する抑制制御手段７を備える。【選択図】    図３
2006157217.tif 000002
【特許請求の範囲】
【請求項１】
符号分割多元接続方式の移動通信端末装置に備えられるセル再選択装置において、
セル再選択条件が成立した場合に、自局セルを再選択するセル再選択動作を行うセル再選択制御手段と、
以前に自局セルとしていたセルを前記セル再選択動作により新たに自局セルとする回数をカウントするカウント手段と、
所定時間を計時する計時手段と、
前記計時手段による計時動作が満了する前に、前記カウント手段によるカウント値が所定数に達した場合に、セル再選択動作のバタツキが発生したと判定するバタツキ発生判定手段と、
前記バタツキ発生判定手段によりバタツキが発生したと判定された場合に、セル再選択動作を抑制する抑制制御手段と、
を備えることを特徴とするセル再選択装置。
【請求項２】
前記抑制制御手段は、前記バタツキ発生判定手段によりバタツキが発生したと判定された場合に、前記セル再選択条件を補正値により補正して該条件を成立し難くさせることにより、セル再選択動作を抑制することを特徴とする請求項１に記載のセル再選択装置。
【請求項３】
前記抑制制御手段は、前記バタツキ発生判定手段によりバタツキが発生したと判定される度に、前記セル再選択条件の前記補正値を増加させ、該条件をより成立し難くさせることを特徴とする請求項２に記載のセル再選択装置。
【請求項４】
前記カウント手段によるカウント値が前記所定数に達する以前に前記計時手段による計時動作が満了した場合に、前記抑制制御手段により加えられた前記セル再選択条件の前記補正値を減少させて、セル再選択動作の抑制効果を解除させる解除制御手段を備えることを特徴とする請求項３に記載のセル再選択装置。
【請求項５】
前記抑制制御手段により前記セル再選択条件の前記補正値が増加される度に、前記カウント手段によるカウント値をリセットさせる一方で、前記計時手段による計時動作を始めから再開させる初期化手段を備えることを特徴とする請求項３に記載のセル再選択装置。
【請求項６】
前記抑制制御手段により前記セル再選択条件の前記補正値が増加される度、並びに、前記解除制御手段により前記補正値が減少される度に、前記カウント手段によるカウント動作と、前記計時手段による計時動作と、を初期化させる初期化手段を備えることを特徴とする請求項４に記載のセル再選択装置。
【請求項７】
自局セルの受信電波強度をＱｓ、周辺セルの受信電波強度をＱｎ、前記補正値をＲとすると、
前記セル再選択条件は、（Ｑｎ−Ｒ）＞Ｑｓとなる状態が第２の所定時間継続した場合に成立することを特徴とする請求項２乃至６の何れか一項に記載のセル再選択装置。
【請求項８】
以前に自局セルとしていたセルの識別情報を、所定数を限度に記憶保持する自局セル履歴記憶手段を備え、
前記カウント手段は、前記セル再選択動作により新たに自局セルとしたセルの識別情報が、前記自局セル履歴記憶手段に記憶保持されている識別情報と一致する回数をカウントすることを特徴とする請求項１乃至７の何れか一項に記載のセル再選択装置。
【請求項９】
符号分割多元接続方式の移動通信端末装置において、
請求項１乃至８の何れか一項に記載のセル再選択装置を備えることを特徴とする移動通信端末装置。
【請求項１０】
当該移動通信端末装置は、携帯電話機であることを特徴とする請求項９に記載の移動通信端末装置。
【請求項１１】
符号分割多元接続方式の移動通信端末装置にてセル再選択を行う方法において、
セル再選択条件の成立を判定する条件成立判定工程と、
前記条件成立判定工程にてセル再選択条件が成立したと判定された場合に、自局セルを再選択するセル再選択工程と、
以前に自局セルとしていたセルを前記セル再選択工程により新たに自局セルとする回数をカウントするカウント工程と、
所定時間を計時する計時工程と、
前記計時工程による計時動作が満了する前に、前記カウント工程によるカウント値が所定数に達した場合に、セル再選択動作のバタツキが発生したと判定するバタツキ発生判定工程と、
前記バタツキ発生判定工程によりバタツキが発生したと判定された場合に、セル再選択動作を抑制する抑制工程と、
を備えることを特徴とするセル再選択方法。
【請求項１２】
前記抑制工程では、前記バタツキ発生判定工程によりバタツキが発生したと判定された場合に、前記セル再選択条件を補正値により補正して該条件を成立し難くさせることにより、セル再選択動作を抑制することを特徴とする請求項１１に記載のセル再選択方法。
【請求項１３】
コンピュータが実行可能なプログラムにおいて、
符号分割多元接続方式の移動通信端末装置におけるセル再選択条件の成立を判定する条件成立判定処理と、
前記条件成立判定処理にてセル再選択条件が成立したと判定された場合に、自局セルを再選択するセル再選択処理と、
以前に自局セルとしていたセルを前記セル再選択処理により新たに自局セルとする回数をカウントするカウント処理と、
所定時間を計時する計時処理と、
前記計時処理による計時動作が満了する前に、前記カウント処理によるカウント値が所定数に達した場合に、セル再選択動作のバタツキが発生したと判定するバタツキ発生判定処理と、
前記バタツキ発生判定処理によりバタツキが発生したと判定された場合に、セル再選択動作を抑制する抑制処理と、
を実行することを特徴とするプログラム。
【請求項１４】
前記抑制処理では、前記バタツキ発生判定処理によりバタツキが発生したと判定された場合に、前記セル再選択条件を補正値により補正して該条件を成立し難くさせることにより、セル再選択動作を抑制することを特徴とする請求項１３に記載のプログラム。
【請求項１５】
コンピュータ読み取り可能な記録媒体において、請求項１３又は１４に記載のプログラムを格納したことを特徴とする記録媒体。
【発明の詳細な説明】
【技術分野】
【０００１】
本発明は、移動通信端末装置に備えられるセル再選択装置、そのセル再選択装置を備える移動通信端末装置、移動通信端末装置におけるセル再選択方法、そのプログラム及び記録媒体に関する。
【背景技術】
【０００２】
例えば携帯電話機などのような移動通信端末装置は、複数の無線基地局の各々が形成するセルの中から自局セルとなるものを選択し、この選択した自局セルとの間で無線信号を送受信することにより通信を行う。
【０００３】
ここで、ＣＤＭＡ方式（ＣＤＭＡ：Ｃｏｄｅ  Ｄｉｖｉｓｉｏｎ  Ｍｕｌｔｉｐｌｅ  Ａｃｃｅｓｓ＝符号分割多元接続方式）に対応した移動通信端末装置は、例えば待受け中において、自局セル及び周辺セルを形成する無線基地局から送信された無線信号の受信強度や品質を定期的に測定し、その測定結果に応じてセル再選択を自律的に行い、自局セルを切り替えることができる。
【０００４】
このセル再選択の際、測定の対象となる周辺セルの指定、さらに、セル再選択基準を規定するためのパラメータ群は、自局セルの無線基地局から報知されるシステム情報に基づいて規定する。
【０００５】
セル再選択は、自局セルの測定値（Ｑｓ［ｄＢ］）よりも、周辺セルの測定値（Ｑｎ［ｄＢ］）の中のいずれかの測定値が上回る状態（Ｑｎ＞Ｑｓとなる状態）が、ある一定期間（Ｔｒｅｓｅｌｅｃｔｉｏｎ［ｓｅｃ］）継続した場合に行われ、その時点で最も測定結果の良いセルを自局セルとする。
【０００６】
ところで、移動通信端末装置がある２つのセル間の境界付近に位置している場合、この移動通信端末装置における双方のセルの測定値が、例えば図５に示すように互いに近い値となる。
【０００７】
すなわち、図５には、セルＡの測定値（実線）と、セルＢの測定値（一点鎖線）とが互いに上回ったり下回ったりを繰り返す結果、セルＡが自局セルとなる状態とセルＢが自局セルとなる状態とが過度に繰り返される様子、つまり、いわゆるバタツキが発生する様子が示されている。
【０００８】
このように、複数のセルの測定値が互いに近い値となる状態が継続すると、上記のようなセル再選択動作を行う移動通信端末装置においては、セル再選択を過度に繰り返してしまう現象（バタツキ）が発生することにより、該移動通信端末装置の消費電力が多くなり待ちうけ時間の低下を招いてしまうという問題がある。
【０００９】
このような事情に鑑み、バタツキの発生を抑制する技術が特許文献１に開示されている。
【００１０】
特許文献１の移動通信端末装置１０００は、図６に示すように、アンテナ１０３と、受信回路１０４と、送信回路１１３と、在圏セル（自局セル）の受信電波の受信レベル（電界強度）を測定する電界強度測定部１０６と、この電界強度測定部１０６による測定結果が所定のしきい値を下回ることが一定時間の間に所定回数発生した場合に自局セルの受信電波状況が劣化したと認識しＣＲ指示（セル再選択指示）を生成するＣＲ指示生成部１０７と、ＣＲ指示の生成回数をカウントするＣＲカウンタ１１０と、所定時間を計時するゾーン移行規制タイマ１１１と、制御回路１０２と、を備えて構成されている。
【００１１】
制御回路１０２は、ＣＲ指示生成部１０７によりＣＲ指示が生成される度にＣＲカウンタ１１０のカウント値を「１」ずつインクリメントする制御と、ゾーン移行処理（セル再選択処理）を実行する度に移行対象セルのＳＣをメモリ１０８の履歴記憶部１０９に記憶させる制御と、ゾーン移行規制タイマ１１１から所定時間満了の通知を受けた場合に履歴記憶部１０９の記憶内容をクリアする制御と、ゾーン移行処理を行う制御と、を行う。
【００１２】
また、制御回路１０２は、ＣＲ指示生成部１０７によりＣＲ指示が生成されると、ＣＲカウンタ１１０のカウント値が所定値に達しているか否かを判定し、達していれば履歴記憶部１０９にかかわらずゾーン移行処理を行う一方で、達していなければゾーン移行規制タイマ１１１が起動中であるか否かを判定し、起動中であれば当該ＣＲ指示による移行対象セルのＳＣが履歴記憶部１０９に格納されているか否かを判定し、格納されていなければゾーン移行処理を行う一方で、格納されていればゾーン移行処理を行わずにＣＲカウンタ１１０のカウント値をインクリメントする。他方、ゾーン移行規制タイマ１１１が起動でなければ当該ＣＲ指示による移行対象セルのＳＣが履歴記憶部１０９に格納されているか否かを判定し、格納されていなければゾーン移行処理を行う一方で、格納されていればゾーン移行処理を行わずにＣＲカウンタ１１０のカウント値をインクリメントするとともにゾーン移行規制タイマ１１１を起動させる。
【００１３】
このような特許文献１の技術によれば、移動通信端末装置１０００が以前存在していたセルの履歴を記憶保持しておき、ＣＲ指示があった場合に移行対象セルが履歴にあるか否かを判定し、履歴にある場合にはゾーン移行処理（セル再選択処理）が抑制される。すなわち、バタツキの発生が抑制される。
【００１４】
なお、ＣＲ指示の生成回数をカウントし、そのカウント値が所定回数に達した後で、更にＣＲ指示が生成された場合には、履歴の内容にかかわらずゾーン移行処理を行うので、ゾーン移行処理の抑制の程度を適宜に調節できる。
【００１５】
更に、所定時間を計時するゾーン移行規制タイマ１１１を備え、該タイマ１１の停止中にＣＲ指示が生成されると該タイマ１１１を起動させ、該タイマ１１１により所定時間の満了が計時されると履歴をクリアするようにしたので、ゾーン移行処理の抑制の程度をより好適に調節できる。
【特許文献１】特開２００３−７００４７号公報（図５、図６）
【発明の開示】
【発明が解決しようとする課題】
【００１６】
しかしながら、特許文献１の技術の場合、ＣＲカウンタ１１０のカウント値が所定値に達した後で更にＣＲ指示が生成された場合には無条件でセル再選択処理を行うので、ＣＲ指示の発生頻度があまりにも多い場合、バタツキの発生を抑制したと言えるほどには、セル再選択処理の頻度を減らすことができないという問題がある。
【００１７】
つまり、特許文献１の技術では、セル再選択処理の頻度を減らすことはできても、ＣＲ指示の発生頻度があまりにも多い場合にはバタツキが発生してしまうため、バタツキの発生の抑制効果が十分とは言えない。
【００１８】
本発明は、上記のような問題点を解決するためになされたもので、従来技術よりも好適にセル再選択動作の繰り返し（バタツキ）を抑制することを可能とするセル再選択装置、移動通信端末装置、セル再選択方法、プログラム及び記録媒体を提供することを目的とする。
【課題を解決するための手段】
【００１９】
上記課題を解決するため、本発明のセル再選択装置は、符号分割多元接続方式の移動通信端末装置に備えられるセル再選択装置において、セル再選択条件が成立した場合に、自局セルを再選択するセル再選択動作を行うセル再選択制御手段と、以前に自局セルとしていたセルを前記セル再選択動作により新たに自局セルとする回数をカウントするカウント手段と、所定時間を計時する計時手段と、前記計時手段による計時動作が満了する前に、前記カウント手段によるカウント値が所定数に達した場合に、セル再選択動作のバタツキが発生したと判定するバタツキ発生判定手段と、前記バタツキ発生判定手段によりバタツキが発生したと判定された場合に、セル再選択動作を抑制する抑制制御手段と、備えることを特徴としている。
【００２０】
本発明のセル再選択装置においては、前記抑制制御手段は、前記バタツキ発生判定手段によりバタツキが発生したと判定された場合に、前記セル再選択条件を補正値により補正して該条件を成立し難くさせることにより、セル再選択動作を抑制することが好ましい。
【００２１】
本発明のセル再選択装置においては、前記抑制制御手段は、前記バタツキ発生判定手段によりバタツキが発生したと判定される度に、前記セル再選択条件の前記補正値を増加させ、該条件をより成立し難くさせることが好ましい。
【００２２】
本発明のセル再選択装置においては、前記カウント手段によるカウント値が前記所定数に達する以前に前記計時手段による計時動作が満了した場合に、前記抑制制御手段により加えられた前記セル再選択条件の前記補正値を減少させて、セル再選択動作の抑制効果を解除させる解除制御手段を備えることが好ましい。
【００２３】
本発明のセル再選択装置においては、前記抑制制御手段により前記セル再選択条件の前記補正値が増加される度に、前記カウント手段によるカウント値をリセットさせる一方で、前記計時手段による計時動作を始めから再開させる初期化手段を備えることが好ましい。
【００２４】
本発明のセル再選択装置においては、前記抑制制御手段により前記セル再選択条件の前記補正値が増加される度、並びに、前記解除制御手段により前記補正値が減少される度に、前記カウント手段によるカウント動作と、前記計時手段による計時動作と、を初期化させる初期化手段を備えることが好ましい。
【００２５】
本発明のセル再選択装置においては、自局セルの受信電波強度をＱｓ、周辺セルの受信電波強度をＱｎ、前記補正値をＲとすると、前記セル再選択条件は、（Ｑｎ−Ｒ）＞Ｑｓとなる状態が第２の所定時間継続した場合に成立することが好ましい。
【００２６】
本発明のセル再選択装置においては、以前に自局セルとしていたセルの識別情報を、所定数を限度に記憶保持する自局セル履歴記憶手段を備え、前記カウント手段は、前記セル再選択動作により新たに自局セルとしたセルの識別情報が、前記自局セル履歴記憶手段に記憶保持されている識別情報と一致する回数をカウントすることが好ましい。
【００２７】
また、本発明の移動通信端末装置は、符号分割多元接続方式の移動通信端末装置において、本発明のセル再選択装置を備えることを特徴としている。
【００２８】
本発明の移動通信端末装置は、例えば、携帯電話機であることを好ましい一例としている。
【００２９】
また、本発明のセル再選択方法は、符号分割多元接続方式の移動通信端末装置にてセル再選択を行う方法において、セル再選択条件の成立を判定する条件成立判定工程と、前記条件成立判定工程にてセル再選択条件が成立したと判定された場合に、自局セルを再選択するセル再選択工程と、以前に自局セルとしていたセルを前記セル再選択工程により新たに自局セルとする回数をカウントするカウント工程と、所定時間を計時する計時工程と、前記計時工程による計時動作が満了する前に、前記カウント工程によるカウント値が所定数に達した場合に、セル再選択動作のバタツキが発生したと判定するバタツキ発生判定工程と、前記バタツキ発生判定工程によりバタツキが発生したと判定された場合に、セル再選択動作を抑制する抑制工程と、を備えることを特徴としている。
【００３０】
本発明のセル再選択方法においては、前記抑制工程では、前記バタツキ発生判定工程によりバタツキが発生したと判定された場合に、前記セル再選択条件を補正値により補正して該条件を成立し難くさせることにより、セル再選択動作を抑制することが好ましい。
【００３１】
本発明のプログラムは、コンピュータが実行可能なプログラムにおいて、符号分割多元接続方式の移動通信端末装置におけるセル再選択条件の成立を判定する条件成立判定処理と、前記条件成立判定処理にてセル再選択条件が成立したと判定された場合に、自局セルを再選択するセル再選択処理と、以前に自局セルとしていたセルを前記セル再選択処理により新たに自局セルとする回数をカウントするカウント処理と、所定時間を計時する計時処理と、前記計時処理による計時動作が満了する前に、前記カウント処理によるカウント値が所定数に達した場合に、セル再選択動作のバタツキが発生したと判定するバタツキ発生判定処理と、前記バタツキ発生判定処理によりバタツキが発生したと判定された場合に、セル再選択動作を抑制する抑制処理と、を実行することを特徴としている。
【００３２】
本発明のプログラムにおいては、前記抑制処理では、前記バタツキ発生判定処理によりバタツキが発生したと判定された場合に、前記セル再選択条件を補正値により補正して該条件を成立し難くさせることにより、セル再選択動作を抑制することが好ましい。
【００３３】
本発明の記録媒体は、コンピュータ読み取り可能な記録媒体において、本発明のプログラムを格納したことを特徴としている。
【発明の効果】
【００３４】
本発明によれば、以前に自局セルとしていたセルを新たに自局セルとする回数が、所定時間内に所定数に達した場合に、セル再選択動作のバタツキが発生したと判定するバタツキ発生判定手段を備えるので、バタツキの発生を確実に判定できる。更に、バタツキ発生判定手段によりバタツキが発生したと判定された場合に、セル再選択動作を抑制する抑制制御手段を備えるので、バタツキが発生した場合には確実にバタツキを抑制することができる。
【発明を実施するための最良の形態】
【００３５】
以下、図面を参照して、本発明に係る実施形態について説明する。
【００３６】
図１は本発明の実施形態に係る移動通信端末装置１００（図２）を備えて構成される移動通信システム３００を示す模式図である。
【００３７】
移動通信システム３００は、符号分割多元接続（ＣＤＭＡ：Ｃｏｄｅ  Ｄｉｖｉｓｉｏｎ  Ｍｕｌｔｉｐｌｅ  Ａｃｃｅｓｓ）方式を採用しており、図１に示すように、移動通信端末装置（ＵＥ：Ｕｓｅｒ  Ｅｑｕｉｐｍｅｎｔ）１００と、移動通信端末装置１００との間で無線信号を送受信する無線基地局（ＢＴＳ：Ｂａｓｅ  Ｔｒａｎｓｃｅｉｖｅｒ  Ｓｔａｔｉｏｎ）２００と、を備えて構成されている。
【００３８】
ここで、移動通信端末装置１００は、例えば、携帯電話機であることが挙げられるが、ＰＤＡ（Ｐｅｒｓｏｎａｌ  Ｄｉｇｉｔａｌ  Ａｓｓｉｓｔａｎｔ）或いはその他の移動通信端末装置であっても良い。
【００３９】
図２は本発明の実施形態に係る移動通信端末装置１００を示す機能ブロック図である。
【００４０】
図２に示す移動通信端末装置１００は、図１に示す移動通信システム３００において用いられるものであり、アンテナ１と、受信回路２と、送信回路３と、ＳＣ検出部４と、受信強度・品質測定部５と、セル選択制御部（セル再選択制御手段）６と、処理制御部（セル再選択制御手段、バタツキ発生判定手段、抑制制御手段、解除制御手段、初期化手段）７と、メモリ８と、バタツキ監視用タイマ（計時手段）１０と、バタツキ監視用カウンタ（カウント手段）１１と、を備えて構成されている。
【００４１】
このうちアンテナ１は、複数の無線基地局２００のうち無線信号の送受信が可能な１つないしは複数の無線基地局２００との間で、無線信号の送受信を行う。
【００４２】
受信回路２は、アンテナ１により受信した無線信号に対して所定の処理を施し、該処理後の受信信号をＳＣ検出部４及び受信強度・品質測定部５へ出力する。
【００４３】
送信回路３は、アンテナ１を介して無線基地局２００に対して無線信号を送信する。
【００４４】
ＳＣ検出部４は、受信回路２から出力される受信信号を基に、セルを識別するための第１共通パイロットチャネル（Ｐ−ＣＰＩＣＨ：Ｐｒｉｍａｒｙ−Ｃｏｍｍｏｎ  Ｐｉｌｏｔ  Ｃｈａｎｎｅｌ）のスクランブリングコード（ＳＣ：Ｓｃｒａｍｂｌｉｎｇ  Ｃｏｄｅ）を検出し、該検出したＳＣを処理制御部７へ通知する。
【００４５】
処理制御部７は、ＳＣ検出部４から通知されたＳＣを受信強度・品質測定部５に転送する。
【００４６】
受信強度・品質測定部５は、処理制御部７から通知されたＳＣに対応するセルの受信信号を基に、自局セル・周辺セルの受信強度・品質を定期的に測定し、測定値をセル選択制御部６へ通知する。
【００４７】
セル選択制御部６は、受信強度・品質測定部５から通知される測定値を基に、セル再選択基準にしたがって、処理制御部７に対して、セル再選択実行を指示する。また、セル選択制御部６は、電源ＯＮ時などには、受信強度・品質測定部５から通知される測定値を基に、処理制御部７に対して、セル選択実行の指示をする。
【００４８】
処理制御部７は、セル選択制御部６からの指示に応じてセル選択・セル再選択を実行したり、各機能ブロックとのメッセージ・データの送受信や、メモリ８へのアクセスなどを行う。
【００４９】
メモリ８は、以前の自局セルの識別情報としてのＳＣの履歴を記憶保持するＳＣ履歴記憶部（自局セル履歴記憶手段）９を備えている。このＳＣ履歴記憶部９には、処理制御部７によってＳＣの履歴が書き込まれる。なお、ＳＣ履歴記憶部９へはＳＣをＮ個（Ｎは２以上の正の整数）を上限数として格納できるようになっている。
【００５０】
バタツキ監視用タイマ１０は、バタツキ発生を判断するために用いられるタイマであり、処理制御部７の制御下で動作する。このバタツキ監視用タイマ１０は、処理制御部７からの指令に応じて起動すると計時動作を開始し、所定時間Ｔ１の計時が満了すると計時動作を終了するとともに、計時満了の旨を処理制御部７に通知する。
【００５１】
なお、所定時間Ｔは、セル再選択の判定に用いられる一定時間（Ｔｒｅｓｅｌｅｃｔｉｏｎ）よりも長い時間に設定されている。
【００５２】
バタツキ監視用カウンタ１１は、バタツキ発生を判断するために用いられるカウンタであり、処理制御部７の制御下で動作する。
【００５３】
次に、移動通信端末装置１００の主要な動作の概略について説明する。
【００５４】
処理制御部７は、セル再選択を行う度に、新たに自局セルとしたセルのＳＣ（識別情報）を履歴としてＳＣ履歴記憶部９に記憶しておき、このＳＣ履歴記憶部９を参照することにより、以前に自局セルとしたセルをＮ個まで認識できるようになっている。以下、ＳＣ履歴記憶部９に記憶保持されているＳＣの履歴を、ＳＣ履歴という。
【００５５】
また、バタツキ監視用タイマ１０の動作中に、ＳＣ履歴にあるセルを再選択した回数（セル再選択動作により新たに自局セルとしたセルの識別情報がＳＣ履歴記憶部９に記憶保持されているＳＣ（識別情報）と一致する回数）をバタツキ監視用カウンタ１１によりカウントし、そのカウント値が所定数（ＴＨＲＥＳＨ）以上となった場合に、処理制御部７は、バタツキが発生したと判定する。
【００５６】
処理制御部７によりバタツキが発生したと判定された場合、セル再選択制御部６は、周辺セルの受信電波強度の測定値Ｑｎ［ｄＢ］に対し、補正値Ｒ［ｄＢ］を減算する補正を施したうえで、該補正後の測定値Ｑｎを自局セルの受信電波強度の測定値Ｑｓ［ｄＢ］と比較して、セル再選択条件の成立の有無を判定する。
【００５７】
ここで、セル再選択条件は、何れか１つの周辺セルの測定値Ｑｎから補正値Ｒを減算した値が、自局セルの測定値Ｑｓを上回る状態が所定時間（第２の所定時間＝Ｔｒｅｓｅｌｅｃｔｉｏｎ）継続した場合に成立する。
【００５８】
つまり、（Ｑｎ−Ｒ）＞Ｑｓとなる状態が所定時間（Ｔｒｅｓｅｌｅｃｔｉｏｎ）継続した場合に、セル再選択条件が成立する。
【００５９】
このため、例えば、移動通信端末装置１００がある２つのセル間の境界付近に位置し、当該移動通信端末装置１００における双方のセルの測定値が互いに近い値となっても、図４に示すように、補正値Ｒの分だけ周辺セルの測定値Ｑｎを低く扱うことにより、以後のセル再選択が抑制される。
【００６０】
ここで、補正値Ｒの初期値は“０”とし、バタツキが発生したと判断される度に、補正値ＲをＸ［ｄＢ］ずつ増加させる。つまり、バタツキが発生したと判定される度に、セル再選択条件は、成立し難くなる。
【００６１】
なお、バタツキが発生したと判断される度に、バタツキ監視用カウンタ１１の初期化（カウント値を「０」にすること）と、バタツキ監視用タイマ１０の再起動（計時動作を始めから再開させること）と、を行う。
【００６２】
また、バタツキ監視用カウンタ１１のカウント値が所定値以上となる以前にバタツキ監視用タイマ１０が満了する度に、補正値ＲをＸずつ減少させる。つまり、バタツキが発生しないまま所定時間Ｔが経過した場合には、補正値ＲをＸずつ減少させて、セル再選択動作の抑制効果を解除させる。
【００６３】
なお、バタツキ監視用カウンタ１１のカウント値が所定値以上となる以前にバタツキ監視用タイマ１０が満了した場合にも、その都度、バタツキ監視用カウンタ１１の初期化と、バタツキ監視用タイマ１０の再起動と、を行う。
【００６４】
ただし、バタツキ監視用タイマ１０が満了した際の補正値Ｒが“０”の場合には、補正値Ｒを減少させる処理は行わないこととする（Ｒ≧０とする）。
【００６５】
なお、バタツキが発生しない場合には補正値Ｒは“０”に維持される一方、バタツキが発生してはじめて補正値Ｒが補正値としての実効性を帯びるため、バタツキが発生したと判定された場合にセル再選択条件が補正値により補正され該条件が成立し難くなるものであると言える。
【００６６】
次に、移動通信端末装置１００の動作を、図３のフローチャートに従って説明する。
【００６７】
先ず、移動通信端末装置１００は、電源ＯＮされると、自局セルを決定するために、無線基地局２００からの無線信号の受信強度・品質を受信強度・品質測定部５にて測定する。受信強度・品質測定部５は、その測定値をセル選択制御部６へ通知する。セル選択制御部６では、測定値の最も良いセルを検索し、そのセルを自局セルとするべく、そのセルの情報（セル情報）を含んだセル選択実行通知を処理制御部７に対し送信する（セル選択実行の指示を行う）。
【００６８】
処理制御部７では、セル選択制御部６から通知されたセル情報を基に、そのセルを自局セルとする処理を行い（ステップＳ１）、ステップＳ１で自局セルとしたセルのＳＣをメモリ８内のＳＣ履歴記憶部９に格納する（ステップＳ２）。
【００６９】
ここで、メモリ８のＳＣ履歴記憶部９にはＳＣをＮ個まで格納できるが、その格納方法の具体例を説明する。ＳＣ履歴記憶部９はＳＣ（１）〜ＳＣ（Ｎ）のＮ個のリストを持ち、その各リストにＳＣを１つずつ格納出来るものとする。最終的に自局セルとしたセルのＳＣはＳＣ（１）に格納される。ＳＣ（２）〜ＳＣ（Ｎ）には、ＳＣ（１）よりも古いＳＣがある場合に、新しい順にデータが格納されている。また、ＳＣがＮ個を超えて格納される場合は、最も古いＳＣ（Ｎ）のＳＣを削除し、ＳＣ（１）〜ＳＣ（Ｎ−１）のＳＣをＳＣ（２）〜ＳＣ（Ｎ）に繰り上げて格納し直したうえで、最終的に自局セルとしたセルのＳＣをＳＣ（１）に格納するものとする。
【００７０】
続いて、処理制御部７よりバタツキ監視用タイマ１０に対し起動を指示し、この指示を受けてバタツキ監視用タイマ１０が時間Ｔ１の計時動作を開始する（ステップＳ３）。
【００７１】
セル再選択制御部６では、バタツキ監視用タイマ１０が起動中（バタツキ監視用タイマ１０のカウント値＜Ｔ１）においては（ステップＳ４のＹｅｓ）、電界強度・品質測定部５から定期的に通知される測定値に基づいて、セル再選択条件（（Ｑｎ−Ｒ）＞Ｑｓの状態が所定時間（Ｔｒｅｓｅｌｅｃｔｉｏｎ）継続）が成立したか否かを監視し（ステップＳ５）、成立した場合に（ステップＳ５のＹｅｓ）、移行先のセル情報を含んだセル再選択実行通知を処理制御部７に対して送信する。
【００７２】
セル再選択実行通知を受信した処理制御部７は、通知されたセル情報を基に自局セルの移行処理を行い（ステップＳ６）、移行したセル（移行先のセル）のＳＣとメモリ８内のＳＣ履歴記憶部９とを照らし合わせる（ステップＳ７）。照らし合わせの結果、移行したセルのＳＣがＳＣ履歴記憶部９から見つからなかった場合、つまり、移行したセルが以前に自局セルとしていたセルではない場合（ステップＳ７のＮｏ）、ステップＳ６で自局セルとしたセルのＳＣをメモリ８のＳＣ履歴記憶部９に格納し（ステップＳ１３）、セル選択実行通知待ち状態（ステップＳ５）へ移行する。
【００７３】
また、ステップＳ７にて、移行したセルのＳＣがＳＣ履歴記憶部９から見つかった場合、つまり、移行したセルが以前に自局セルとしていたセルである場合（ステップＳ７のＹｅｓ）、バタツキ監視用カウンタ１１のカウント値（Ｃｏｕｎｔ）を「１」だけインクリメントさせ（ステップＳ８）、該カウント値が所定のしきい値（ＴＨＲＥＳＨ）以上になっていないか、つまり、バタツキが発生しているか否かを判断する（ステップＳ９）。
【００７４】
バタツキ監視用カウンタ１１のカウント値がしきい値に満たない場合、つまり、バタツキが発生していないと判断された場合（ステップＳ９のＮｏ）、自局セルとしたセルのＳＣをメモリ８内のＳＣ履歴記憶部９に格納し（ステップＳ１３）、セル選択実行通知待ち状態（ステップＳ５）へ移行する。
【００７５】
他方、ステップＳ９にて、バタツキ監視用カウンタ１１のカウント値がしきい値以上の場合、つまり、バタツキが発生したと判断した場合（ステップＳ９のＹｅｓ）、処理制御部７はセル再選択制御部６に対し、バタツキ抑制用の補正値（Ｒ［ｄＢ］）をＸ［ｄＢ］だけ増加させるように通知し（ステップＳ１０）、再びバタツキ発生の監視を始めから行うために、バタツキ監視用カウンタ１１の初期化（ステップＳ１１）と、バタツキ監視用タイマ１０の再起動要請（ステップＳ１２）と、を行う。その後、ステップＳ６にて自局セルとしたセルのＳＣをメモリ８内のＳＣ履歴記憶部９に格納し（ステップＳ１３）、セル再選択実行通知待ち状態（ステップＳ５）へ移行する。ここで、セル再選択制御部６では、先のステップＳ１０にてＸだけ増加させた補正値Ｒをセル再選択条件の成立判定に用いることにより、以後においては、セル再選択動作が抑制されることとなる。つまり、バタツキが抑制される。
【００７６】
なお、処理制御部７では、ステップＳ５のセル選択実行通知待ちと合わせて、バタツキ監視用タイマ１０の状態を監視しており（ステップＳ４）、バタツキ監視用タイマ１０から計時動作の満了の旨の通知（タイムアウト通知）を受信した場合（ステップＳ４のＮｏ）、該計時動作中にはバタツキが発生しなかったと判断し、その段階での補正値Ｒが“０”よりも大きい場合に限り（ステップＳ１４のＹｅｓ）、該補正値ＲをＸだけ減算させる（ステップＳ１５）。ただし、補正値Ｒが既に“０”の場合は（ステップＳ１４のＮｏ）、ステップＳ１５の処理はスキップする。
【００７７】
その後、処理制御部７は、バタツキ発生の監視を再び始めから行うために、バタツキ監視用カウンタ１１の初期化（ステップＳ１６）、バタツキ監視用タイマ１０の再起動要請（ステップＳ１７）を行い、セル再選択実行通知待ち状態（ステップＳ５）へ移行する。
【００７８】
ここで、セル再選択制御部６では、ステップＳ１５にてＸだけ減少させた補正値Ｒをセル再選択条件の成立判定に用いる。つまり、このようにバタツキが抑制方向に向かっている場合には、補正値をＸ［ｄＢ］ずつ減少させることにより、バタツキ抑制効果の解除を徐々に行う。
【００７９】
以上のような実施形態によれば、以前に自局セルとしていたセルを新たに自局セルとする回数が、所定時間内に所定数に達した場合に、セル再選択動作のバタツキが発生したと判定するので、バタツキの発生を確実に判定できる。更に、バタツキが発生したと判定された場合に、セル再選択動作を抑制するので、バタツキが発生した場合には確実に以後のバタツキ発生を抑制することができる。
【００８０】
より具体的には、セル再選択条件（Ｑｎ−Ｒ＞Ｑｓが所定時間継続）が成立した移行対象セル（新たに自局セルとなるセル）が、以前に自局セルとしていたセルであると判定されることが、所定時間内に所定回数に達する度に、バタツキが発生したと判断し、補正値Ｒを増加させることにより、セル再選択動作のバタツキを抑制することができる。
【００８１】
このようにバタツキを抑制することによって、移動通信端末装置１００の消費電力も抑えられ、待ち受け時間を延ばすことができる。
【００８２】
また、セル再選択条件（Ｑｎ−Ｒ＞Ｑｓが所定時間継続）が成立した移行対象セル（新たに自局セルとなるセル）が、以前に自局セルとしていたセルであると判定されることが、所定回数に達しないうちに所定時間が経過する度に、補正値Ｒを増加させることにより、バタツキ抑制効果の解除を徐々に行うことができる。
【００８３】
なお、上記の実施形態では、セル再選択動作（ステップＳ７）を行う度に、無条件でＳＣ履歴の更新（ステップＳ１３）を行う例を説明したが、例えば、セル再選択動作により新たに自局セルとしたセルのＳＣ（識別情報）がＳＣ履歴記憶部（自局セル履歴記憶手段）９に記憶保持されていない場合にのみ、該新たな自局セルのＳＣを処理制御部７がＳＣ履歴記憶部９に記憶させるようにしても良い。
【図面の簡単な説明】
【００８４】
【図１】本発明に係る移動通信端末装置を備える移動通信システムを示す模式図である。
【図２】本発明に係る移動通信端末装置を示す機能ブロック図である。
【図３】図２の移動通信端末装置の動作を示すフローチャートである。
【図４】図２の移動通信端末装置によりセル再選択動作のバタツキを抑制できる仕組みを説明するための図である。
【図５】従来の移動通信端末装置にてセル再選択動作のバタツキが発生する仕組みを説明するための図である。
【図６】特許文献１の移動通信端末を示す機能ブロック図である。
【符号の説明】
【００８５】
６      セル選択制御部（セル再選択制御手段）
７      処理制御部（セル再選択制御手段、バタツキ発生判定手段、抑制制御手段、解除制御手段、初期化手段）
９      ＳＣ履歴記憶部（自局セル履歴記憶手段）
１０    バタツキ監視用タイマ（計時手段）
１１    バタツキ監視用カウンタ（カウント手段）
１００  移動通信端末装置
【図１】
2006157217.tif 000003
【図２】
2006157217.tif 000004
【図３】
2006157217.tif 000005
【図４】
2006157217.tif 000006
【図５】
2006157217.tif 000007
【図６】
2006157217.tif 000008